(57)【特許請求の範囲】
【請求項１】
原稿の表面を含む表面画像または前記原稿の裏面を含む裏面画像のいずれか一方を鏡像変換する鏡像変換手段と、前記表面画像または前記裏面画像として前記鏡像変換手段で鏡像変換された画像を用いて前記表面画像及び前記裏面画像から少なくとも濃度境界の方向を特徴量として検出する濃度境界検出手段と、前記表面画像から得た濃度境界の特徴量と該濃度境界に対応する前記裏面画像から得た濃度境界の特徴量の類似度から原稿端を検出する原稿端検出手段を有することを特徴とする画像処理装置。
【請求項２】
原稿の表面を含む表面画像及び裏面を含む裏面画像からそれぞれ少なくとも濃度境界の方向を特徴量として検出する濃度境界検出手段と、前記表面画像から得た特徴量と、該特徴量を得た前記表面画像における濃度境界の位置と鏡像関係の位置にある前記裏面画像から得た特徴量について一方の特徴量における方向を鏡像変換して類似度を算出し、前記類似度に従って原稿端を検出する原稿端検出手段を有することを特徴とする画像処理装置。
【請求項３】
前記原稿端検出手段は、前記表面画像と前記裏面画像との予め決められた大きさの領域内で類似度を算出することを特徴とする請求項１または請求項２に記載の画像処理装置。
【請求項４】
前記原稿端検出手段は、前記特徴量をもとに直線部分を抽出し，画像の最も端に位置する直線を原稿端として検出することを特徴とする請求項１から請求項３のいずれか１項に記載の画像処理装置。
【請求項５】
原稿の表面及び裏面を含む画像を読み取って表面画像及び裏面画像として出力する読取手段と、前記表面画像及び前記裏面画像を受け取って原稿端を検出する請求項１から請求項４のいずれか１項に記載の画像処理装置と、画像を媒体上に形成する形成手段と、前記表面画像及び前記裏面画像に対して前記画像処理装置で検出した前記原稿端をもとに前記形成手段で形成する画像を作成する画像作成手段を有することを特徴とする画像形成装置。
【請求項６】
コンピュータに、請求項１から請求項４のいずれか１項に記載の画像処理装置の機能を実行させるものであることを特徴とする画像処理プログラム。
【発明の詳細な説明】
【技術分野】
【０００１】
本発明は、画像処理装置および画像処理プログラム、画像形成装置に関するものである。
【背景技術】
【０００２】
従来より、様々な方法により原稿端を検出している。例えば特許文献１では、原稿の読み取り面とは反対の面から照明光を照射することにより原稿を影状に黒く見えるようにして、原稿端を検出している。また、特許文献２では用紙搬送路に画像読取手段を設置し、その画像読取手段によって読み取った画像信号から、明度とともに彩度も参照して、印刷用紙の端を検出している。
【０００３】
これらの原稿端の検出方法は、いずれも読取装置と連動して原稿端を検出するものである。このように読取装置に特別な構成を加えることなく、単に原稿を読み取った画像などのように、原稿を含む画像から原稿の端部を検出することが考えられている。また、例えば特許文献３では、原稿端ではないが、有効画像の広がりを判別することが行われている。
【０００４】
また本発明と関連する別の従来技術として、鏡像画像を利用する技術がある。例えば特許文献４には、原稿の表面を読み取った表面画像データと、裏面を読み取って鏡像反転した裏面画像データとの濃度を比較して裏写りデータを判別し、裏写りを除去することが記載されている。また、例えば特許文献５には、読み取った原稿表面の左右反転画像を記憶しておき、原稿の裏面画像と表面反転画像とを比較して、表面反転画像の方が裏面画像よりも濃度が薄い場合は、その箇所に対応する表面の画像を消去し出力することにより、裏写りを除去することが記載されている。
【先行技術文献】
【特許文献】
【０００５】
【特許文献１】特開平６−３３７９２３号公報
【特許文献２】特開２００５−２６９１２４号公報
【特許文献３】特開２００４−２３６０２６号公報
【特許文献４】特許第３３５９１８０号公報
【特許文献５】特開平１１−３１７８５８号公報
【発明の概要】
【発明が解決しようとする課題】
【０００６】
本発明は、特別なセンサを用いずに原稿を含む画像から原稿端を正確に抽出する画像処理装置および画像処理プログラムと、そのような画像処理装置を用いた画像形成装置を提供することを目的とするものである。
【課題を解決するための手段】
【０００７】
本願請求項１に記載の発明は、原稿の表面を含む表面画像または前記原稿の裏面を含む裏面画像のいずれか一方を鏡像変換する鏡像変換手段と、前記表面画像または前記裏面画像として前記鏡像変換手段で鏡像変換された画像を用いて前記表面画像及び前記裏面画像から少なくとも濃度境界の方向を特徴量として検出する濃度境界検出手段と、前記表面画像から得た濃度境界の特徴量と該濃度境界に対応する前記裏面画像から得た濃度境界の特徴量の類似度から原稿端を検出する原稿端検出手段を有することを特徴とする画像処理装置である。
【０００８】
本願請求項２に記載の発明は、原稿の表面を含む表面画像及び裏面を含む裏面画像からそれぞれ少なくとも濃度境界の方向を特徴量として検出する濃度境界検出手段と、前記表面画像から得た特徴量と、該特徴量を得た前記表面画像における濃度境界の位置と鏡像関係の位置にある前記裏面画像から得た特徴量について一方の特徴量における方向を鏡像変換して類似度を算出し、前記類似度に従って原稿端を検出する原稿端検出手段を有することを特徴とする画像処理装置である。
【０００９】
本願請求項３に記載の発明は、本願請求項１または請求項２に記載の発明における前記原稿端検出手段が、前記表面画像と前記裏面画像との予め決められた大きさの領域内で類似度を算出することを特徴とする画像処理装置である。
【００１０】
本願請求項４に記載の発明は、本願請求項１から請求項３のいずれか１項に記載の発明における前記原稿端検出手段が、前記特徴量をもとに直線部分を抽出し，画像の最も端に位置する直線を原稿端として検出することを特徴とする画像処理装置である。
【００１１】
本願請求項５に記載の発明は、原稿の表面及び裏面を含む画像を読み取って表面画像及び裏面画像として出力する読取手段と、前記表面画像及び前記裏面画像を受け取って原稿端を検出する請求項１から請求項４のいずれか１項に記載の画像処理装置と、画像を媒体上に形成する形成手段と、前記表面画像及び前記裏面画像に対して前記画像処理装置で検出した前記原稿端をもとに前記形成手段で形成する画像を作成する画像作成手段を有することを特徴とする画像形成装置である。
【００１２】
本願請求項６に記載の発明は、コンピュータに、請求項１から請求項４のいずれか１項に記載の画像処理装置の機能を実行させるものであることを特徴とする画像処理プログラムである。
【発明の効果】
【００１４】
本願請求項１に記載の発明によれば、本構成を有しない場合に比べて、原稿を含む画像から、ノイズなどに対して安定して原稿端を正確に検出することができる。
【００１５】
本願請求項２に記載の発明によれば、本構成を有しない場合に比べて、原稿を含む画像から、ノイズなどに対して安定して原稿端を正確に検出することができる。
【００１６】
本願請求項３に記載の発明によれば、表面画像と裏面画像中の原稿位置がずれていても原稿端を検出することができる。
【００１７】
本願請求項４に記載の発明によれば、原稿に描かれている内容によらず、原稿端を検出することができる。
【００１８】
本願請求項５に記載の発明によれば、本構成を有しない場合に比べて、原稿の画像部分を正確に処理し、媒体上に形成することができる。
【００１９】
本願請求項６に記載の発明によれば、本願請求項１から請求項４のいずれか１項に記載の発明の効果を得ることができる。
【図面の簡単な説明】
【００２１】
【図１】本発明の画像処理装置の第１の実施の形態を示す構成図である。
【図２】本発明の画像処理装置の第１の実施の形態における動作の一例を示す流れ図である。
【図３】本発明の画像処理装置の第１の実施の形態における動作の一例により処理される画像の具体例の説明図である。
【図４】本発明の画像処理装置の第２の実施の形態を示す構成図である。
【図５】本発明の画像処理装置の第２の実施の形態における動作の一例を示す流れ図である。
【図６】本発明の画像処理装置の第２の実施の形態における動作の一例により処理される画像の具体例の説明図である。
【図７】本発明の画像形成装置の実施の一形態を示す構成図である。
【図８】本発明の画像処理装置の各実施の形態で説明した機能をコンピュータプログラムで実現した場合におけるコンピュータプログラム及びそのコンピュータプログラムを格納した記憶媒体とコンピュータの一例の説明図である。
【発明を実施するための形態】
【００２２】
図１は、本発明の画像処理装置の第１の実施の形態を示す構成図である。図中、１１は鏡像変換部、１２は濃度境界検出部、１３は原稿端検出部である。以下に説明する実施の形態では、原稿の表面を含む表面画像及び裏面を含む裏面画像が与えられるものとする。表面画像と裏面画像は、例えば原稿の表裏を一括して読み取る画像読取装置などによって取得されたものでよい。
【００２３】
鏡像変換部１１は、与えられた表面画像または裏面画像のいずれか一方を鏡像変換する。
【００２４】
濃度境界検出部１２は、表面画像及び裏面画像からそれぞれ濃度が変化する濃度境界の特徴量を検出する。表面画像または裏面画像の一方は、鏡像変換部１１で鏡像変換された画像を用いる。例えば鏡像変換部１１で表面画像を鏡像変換した場合には、鏡像変換した画像から表面画像における濃度境界の特徴量を検出するとともに、与えられた裏面画像から裏面画像における濃度境界の特徴量を検出する。あるいは、例えば鏡像変換部１１で裏面画像を鏡像変換した場合には、鏡像変換した画像から裏面画像における濃度境界の特徴量を検出するとともに、与えられた表面画像から表面画像における濃度境界の特徴量を検出する。検出する濃度境界の特徴量としては、例えば、濃度境界の方向や強度などを抽出すればよい。もちろん、長さや他の特徴量を抽出してもよいことは言うまでもない。
【００２５】
原稿端検出部１３は、表面画像における濃度境界の特徴量と、対応する裏面画像における濃度境界の特徴量に従い、原稿端を検出する。例えば両者の特徴量の類似度を算出すればよい。類似度の算出の際には、表面画像と裏面画像との位置ズレなどを考慮し、予め決められた大きさの領域内で類似度を算出するように構成するとよい。例えば表面画像と裏面画像の両方に存在している濃度境界については、類似度から特徴量が類似していると判断されるので、そのような濃度境界を見つけ出せばよい。また、そのような濃度境界が原稿内に存在する場合でも、原稿端となる濃度境界は最も外側に存在するはずであることから、見つけた濃度境界のうち最も端に位置する直線状の濃度境界を原稿端として検出すればよい。
【００２６】
図２は、本発明の画像処理装置の第１の実施の形態における動作の一例を示す流れ図である。Ｓ６１において、鏡像変換部１１は、与えられた表面画像または裏面画像のいずれか一方を鏡像変換する。ここでは裏面画像を鏡像変換することとする。
【００２７】
Ｓ６２において、濃度境界検出部１２は、表面画像及び鏡像変換された裏面画像から、それぞれ濃度が変化する濃度境界の特徴量を検出する。ここでは少なくとも境界方向を検出するものとし、境界強度についても検出するものとする。
【００２８】
Ｓ６３において、原稿端検出部１３は、まず濃度境界の特徴量の類似度を算出する。表面画像と鏡像変換された裏面画像の対応する位置における濃度境界の境界方向のなす角度をθとし、例えば類似度の関数Ｆ（θ）により値を求めればよい。関数Ｆ（θ）としては、ここではθが小さいほど値が大きくなるものとし、例えばθの逆数、ｃｏｓθ、二値出力関数（１：０≦θ＜Ｔｈ、０：Ｔｈ＜θ）などが考えられる。もちろん、このほかの関数でもよく、境界強度を求めている場合には境界方向とともに境界ベクトルとして内積などのベクトル演算により類似度を求めてもよい。
【００２９】
原稿端検出部１３は、Ｓ６３で求めた類似度をもとに原稿端を抽出するが、その処理の一つとして、ここではＳ６４において類似度画像を作成し、Ｓ６５において類似度画像から直線を検出する処理を行う例を示している。Ｓ６４において作成する類似度画像は、単純には、類似度を算出した表面画像及び鏡像変換した裏面画像と対応する位置の値としてＳ６３で算出した類似度の値を並べればよい。あるいは、表面画像及び鏡像変換した裏面画像の対応する位置における画素値（色）の和または境界強度の和に類似度を乗算して求めた値を並べてもよい。もちろんこのほかにも、類似度に応じた特徴量の線形和、非線形和を求めるなど、種々の方法により求めた値を並べてもよい。
【００３０】
このようにして得られた類似度画像をもとに、Ｓ６５において直線を検出する。表面画像と鏡像変換された裏面画像の対応する位置に共通して存在する濃度境界については類似度の値が大きくなるようにしている。原稿端は表面画像と鏡像変換された裏面画像の対応する位置に共通して存在する直線であることから、類似度画像から直線を検出すれば、検出された直線の中に原稿端が含まれることになる。なお、直線検出の方法としては、例えばハフ変換や端部追跡など、周知の方法を使用すればよい。
【００３１】
最後にＳ６６において、Ｓ６５で検出した直線の中から原稿端を抽出する。原稿内に種々の直線が描かれていたとしても、原稿端は最も外周に位置する直線であることから、最も端に位置する直線を原稿端として抽出すればよい。あるいは、原稿端の直線は文字などの直線に比べて長いことから、最も長い直線を原稿端として抽出してもよい。このようにして、対応する表面画像と裏面画像から原稿端が抽出される。
【００３２】
上述の動作の一例について具体例を用いて説明する。図３は、本発明の画像処理装置の第１の実施の形態における動作の一例により処理される画像の具体例の説明図である。図３（Ａ）は与えられた表面画像と裏面画像を示している。例えば原稿の表裏を一括して読み取る画像読取装置などによって表面画像と裏面画像を取得する場合を考えると、読取の際に原稿が傾斜した状態で画像が読み取られることがある。しかし、読み取られた表面画像と裏面画像では、その原稿の形状は鏡像関係にある。図３（Ａ）に示した表面画像と裏面画像においても、原稿の外形は鏡像関係にある。
【００３３】
まず、鏡像変換部１１により、与えられた表面画像または裏面画像のいずれか一方を鏡像変換する。ここでは裏面画像を鏡像変換する。図３（Ｂ）においては、裏面画像として鏡像変換された画像を示している。
【００３４】
次に濃度境界検出部１２では、表面画像及び鏡像変換された裏面画像から、それぞれ濃度が変化する濃度境界の特徴量を検出する。図３（Ｂ）では、画像中の４点について、特徴量として検出した境界方向を矢線により示している。表面画像における点ａは原稿端部分であり、点ｂは原稿に描かれた線分領域であり、点ｃは原稿上の雑音部分であり、点ｄは原稿外の雑音部分である。表面画像の各位置に対応する鏡像変換された裏面画像中の位置をａ’，ｂ’，ｃ’，ｄ’として示している。なお、鏡像変換された裏面画像におけるｃ’、ｄ’においては濃度境界が存在しないため矢線は示していない。
【００３５】
濃度境界の特徴量を検出したら、原稿端検出部１３において、まず濃度境界の特徴量の類似度を算出し、ここでは類似度画像を作成する。類似度画像の一例を図３（Ｃ）に示している。図３（Ｃ）では、表面画像と鏡像変換された裏面画像の対応する部分が類似している場合に黒く示している。
【００３６】
例えば図３（Ｂ）に示した表面画像と鏡像変換された裏面画像の対応する点における特徴量を比較すると、表面画像の点ａにおける濃度境界の境界方向と鏡像変換された裏面画像の点ａ’における境界方向とから類似度を算出することにより、この部分では類似していることになるため図３（Ｃ）では黒く示している。しかし、点ｂにおける境界方向と点ｂ’における境界方向は異なっており、従って算出した類似度から図３（Ｃ）では白く示している。さらに、表面画像では点ｃ及び点ｄにおいて境界方向が検出されているが、鏡像変換された裏面画像では対応する点ｃ’及び点ｄ’においては濃度境界が存在しておらず、境界方向も検出されていない。従って、これらの部分についても図３（Ｃ）では白く示している。このようにして各点について類似している部分を黒く、類似していない部分を白くすると、図３（Ｃ）に示すように、原稿端と、たまたま表面画像と鏡像変換された裏面画像とに共通する線分が存在した部分が黒くなった類似度画像が得られる。例えば原稿端の濃度差が文字などの線に比べて薄い場合でも、類似度画像でははっきりと現れる。また、画像中に点ｃや点ｄなどの雑音が存在していても、類似度画像では消去されることになる。なお、図３（Ｃ）に示した類似度画像は説明のためのものであり、実際には白、黒ではなく、二値または多値の値を有するものであってよい。
【００３７】
図３（Ｃ）に示した類似度画像から直線部分を検出すると、この例では図３（Ｄ）に示すように、原稿端が抽出されることになる。例えば最も外周に位置する直線を抽出すれば、原稿端が抽出される。あるいは、予め決めておいた長さより長い直線を検出すれば、文字などから得られた線分は除外される。また、例えば原稿端となる線分が途切れていても、各線分から得られる直線が重複している場合に線分を統合すれば、原稿端となる直線が得られる。
【００３８】
図４は、本発明の画像処理装置の第２の実施の形態を示す構成図である。この第２の実施の形態では、画像を鏡像変換せずに、原稿端を検出する際に鏡像の位置の特徴量を比較して類似度を算出するようにした例を示している。なお、第１の実施の形態と異なる部分について主に説明する。
【００３９】
この第２の実施の形態では鏡像変換部１１を有しておらず、画像に対する鏡像変換を行わないので、濃度境界検出部１２では、与えられた表面画像及び裏面画像から、それぞれ濃度境界の特徴量を検出する。
【００４０】
原稿端検出部１３は、表面画像における濃度境界の特徴量と、対応する裏面画像における濃度境界の特徴量に従い、原稿端を検出する。表面画像と裏面画像の対応する位置は、互いに鏡像関係にある位置であり、鏡像関係にある位置における特徴量の類似度を算出すればよい。類似度の算出の際には、表面画像と裏面画像との位置ズレなどを考慮し、予め決められた大きさの領域内で類似度を算出するように構成するとよい。特徴量として濃度境界の境界方向を用いる場合、表面画像と裏面画像が互いに鏡像の関係にあることから、濃度境界検出部１２で検出した境界方向も鏡像の関係にある。従って、類似度を算出する際には、表面画像から得た境界方向か、あるいは裏面画像から得た境界方向のいずれか一方について、鏡像関係にある方向に変換しておく。
【００４１】
図５は、本発明の画像処理装置の第２の実施の形態における動作の一例を示す流れ図である。Ｓ７１において、濃度境界検出部１２は、与えられた表面画像及び裏面画像から、それぞれ濃度が変化する濃度境界の特徴量を検出する。ここでは少なくとも境界方向を検出するものとし、境界強度についても検出するものとする。
【００４２】
Ｓ７２において、原稿端検出部１３は、まず、表面画像及び裏面画像のいずれか一方について、Ｓ７１で検出した濃度境界の特徴量のうち境界方向について鏡像変換する。ここでは上述の第１の実施の形態における鏡像変換部１１で行った画像全体の鏡像変換は行わない。
【００４３】
続いてＳ７３において、原稿端検出部１３は濃度境界の特徴量の類似度を算出する。この際に、表面画像の位置と鏡像の関係にある裏面画像の位置における濃度境界の特徴量から類似度を算出する。類似度の算出方法については第１の実施の形態で述べたので、ここでは省略するが、境界方向の類似度は方向の角度差が０度や１８０度で最大となり、９０度や２７０度で最小となるように類似度を算出するとよい。
【００４４】
原稿端検出部１３がＳ７４以降の処理で行う類似度画像の作成、直線検出、原稿端抽出などの処理についても、第１の実施の形態で説明した図２のＳ６４以降の処理であるので、ここでは説明を省略する。このようにして、画像を鏡像変換する代わりに、濃度境界の境界方向の鏡像変換と類似度算出の際の表面画像及び裏面画像の参照位置を変更するように構成しても、原稿端が得られることになる。
【００４５】
上述の動作の一例について具体例を用いて説明する。図６は、本発明の画像処理装置の第２の実施の形態における動作の一例により処理される画像の具体例の説明図である。図６（Ａ）は与えられた表面画像と裏面画像を示しており、図３（Ａ）に示したものである。
【００４６】
まず、濃度境界検出部１２では、表面画像及び裏面画像から、それぞれ濃度が変化する濃度境界の特徴量を検出する。図６（Ａ）では、画像中の４点について、特徴量として検出した境界方向を矢線により示している。表面画像における点ａと点ｅは原稿端部分であり、点ｂは原稿に描かれた線分領域であり、点ｃは原稿上の雑音部分であり、点ｄは原稿外の雑音部分である。表面画像の各位置に対応する鏡像変換された裏面画像中の位置をａ’，ｂ’，ｃ’，ｄ’，ｅ’として示している。なお、鏡像変換された裏面画像におけるｃ’、ｄ’においては濃度境界が存在しないため矢線は示していない。
【００４７】
濃度境界の特徴量を検出したら、原稿端検出部１３において、まず表面画像あるいは裏面画像のいずれか一方について、濃度境界検出部１２で検出した濃度境界の特徴量のうち境界方向を鏡像変換しておく。ここでは図６（Ａ）の裏面画像から検出した濃度境界の境界方向について、図中に「変換方向」と示した方向に鏡像変換するものとし、その結果を図６（Ｂ）に示している。裏面画像自体は鏡像変換されないが、境界方向を示している矢線の向きが鏡像変換されている。
【００４８】
図６（Ｂ）に示した表面画像と裏面画像の鏡像の位置における特徴量を比較すると、例えば表面画像の点ａにおける濃度境界の境界方向と裏面画像の点ａ’における鏡像変換された境界方向とから類似度を算出することにより、この部分では類似していることになるため図６（Ｃ）では黒く示している。しかし、点ｂにおける境界方向と点ｂ’における鏡像変換された境界方向は異なっており、従って算出した類似度から図６（Ｃ）では白く示している。さらに、表面画像では点ｃ及び点ｄにおいて境界方向が検出されているが、裏面画像では鏡像関係の位置にある点ｃ’及び点ｄ’においては濃度境界が存在しておらず、境界方向も検出されていない。従って、これらの部分についても図６（Ｃ）では白く示している。さらに、表面画像の点ｅにおける濃度境界の境界方向と裏面画像の点ｅ’における鏡像変換された境界方向とは反対を向いているが、上述のように０度及び１８０度で最大となるように類似度を算出すれば、この部分では類似していることが検出されるので図６（Ｃ）では黒く示している。
【００４９】
このようにして各点について類似している部分を黒く、類似していない部分を白くすると、図６（Ｃ）に示すように、原稿端と、たまたま表面画像と鏡像変換された裏面画像とに共通する線分が存在した部分が黒くなった類似度画像が得られる。例えば原稿端の濃度差が文字などの線に比べて薄い場合でも、類似度画像でははっきりと現れる。また、画像中に点ｃや点ｄなどの雑音が存在していても、類似度画像では消去されることになる。なお、図６（Ｃ）に示した類似度画像は説明のためのものであり、実際には白、黒ではなく、二値または多値の値を有するものであってよい。
【００５０】
図６（Ｃ）に示した類似度画像から直線部分を検出すると、この例では図６（Ｄ）に示すように、原稿端が抽出されることになる。例えば最も外周に位置する直線を抽出すれば、原稿端が抽出される。あるいは、予め決めておいた長さより長い直線を検出すれば、文字などから得られた線分は除外されて原稿端が抽出される。また、例えば原稿端となる線分が途切れていても、各線分から得られる直線が重複している場合に線分を統合すれば、原稿端となる直線が得られる。
【００５１】
図７は、本発明の画像形成装置の実施の一形態を示す構成図である。図中、２１，２２は読取部、２３は画像処理部、２４は画像作成部、２５は形成部である。読取部２１，２２は、原稿の表面及び裏面を含む画像を読み取って表面画像及び裏面画像として出力する。原稿の両面を読み取る構成としては、周知の構成を適用すればよい。
【００５２】
画像処理部２３は、本発明の画像処理装置の実施の形態として上述したものであり、読取部２１で読み取った表面画像及び裏面画像を受け取り、原稿端を検出して画像作成部２４に検出結果を渡す。
【００５３】
画像作成部２４は、読取部２１で読み取った表面画像及び裏面画像に対して、画像処理部２３から渡される原稿端の検出結果をもとに、形成部２５で形成する画像を作成する。例えば、原稿端の検出結果から原稿の位置、大きさ、傾きなどが分かるので、傾きを補正し、補正後の原稿部分の画像を切り出せばよい。あるいはさらに、形成部２５で使用する媒体の大きさに応じた拡大縮小処理などを行ってもよい。あるいは切り出した画像の大きさに応じた大きさの媒体を指定して形成部２５に画像の形成を指示してもよい。また、例えば原稿端の検出結果から原稿端部分に対して補正処理を施して原稿端を画像から消去し、いわゆる枠消し機能を行ってもよい。
【００５４】
形成部２５は、画像作成部２４で作成した画像を媒体上に形成する。
【００５５】
図８は、本発明の画像処理装置の各実施の形態で説明した機能をコンピュータプログラムで実現した場合におけるコンピュータプログラム及びそのコンピュータプログラムを格納した記憶媒体とコンピュータの一例の説明図である。図中、３１はプログラム、３２はコンピュータ、４１は光磁気ディスク、４２は光ディスク、４３は磁気ディスク、４４はメモリ、５１はＣＰＵ、５２は内部メモリ、５３は読取部、５４はハードディスク、５５はインタフェース、５６は通信部である。
【００５６】
上述の本発明の画像処理装置の各実施の形態で説明した各部の機能を全部あるいは部分的に、コンピュータにより実行可能なプログラム３１によって実現してもよい。その場合、そのプログラム３１およびそのプログラムが用いるデータなどは、コンピュータが読み取り可能な記憶媒体に記憶させておけばよい。記憶媒体とは、コンピュータのハードウェア資源に備えられている読取部５３に対して、プログラムの記述内容に応じて、磁気、光、電気等のエネルギーの変化状態を引き起こして、それに対応する信号の形式で、読取部５３にプログラムの記述内容を伝達するものである。例えば、光磁気ディスク４１，光ディスク４２（ＣＤやＤＶＤなどを含む）、磁気ディスク４３，メモリ４４（ＩＣカード、メモリカード、フラッシュメモリなどを含む）等である。もちろんこれらの記憶媒体は、可搬型に限られるものではない。
【００５７】
これらの記憶媒体にプログラム３１を格納しておき、例えばコンピュータ３２の読取部５３あるいはインタフェース５５にこれらの記憶媒体を装着することによって、コンピュータからプログラム３１を読み出し、内部メモリ５２またはハードディスク５４（磁気ディスクやシリコンディスクなどを含む）に記憶し、ＣＰＵ５１によってプログラム３１を実行することによって、上述の本発明の画像処理装置の各実施の形態で説明した機能が全部あるいは部分的に実現される。あるいは、通信路を介してプログラム３１をコンピュータ３２に転送し、コンピュータ３２では通信部５６でプログラム３１を受信して内部メモリ５２またはハードディスク５４に記憶し、ＣＰＵ５１によってプログラム３１を実行することによって実現してもよい。
【００５８】
コンピュータ３２には、このほかインタフェース５５を介して様々な装置と接続してもよい。例えば情報を表示する表示手段や利用者からの情報を受け付ける受付手段等も接続されていてもよい。また、例えば原稿の両面を読み取る画像読取装置がインタフェース５５を介して接続され、画像読取装置で読み取った表面画像及び裏面画像から原稿端を検出してもよい。さらに、画像形成装置がインタフェース５５を介して接続され、画像作成部２４の機能を含めて上述の本発明の画像形成装置の実施の一形態で示した構成を実現してもよい。
【００５９】
もちろん、部分的にハードウェアによって構成することもできるし、全部をハードウェアで構成してもよい。あるいは、他の構成とともに本発明の画像処理装置の各実施の形態で説明した機能の全部あるいは部分的に含めたプログラムとして構成してもよい。上述のように本発明の画像形成装置の実施の一形態で示した画像作成部２４の機能を実現するプログラムとともに構成してもよい。もちろん、他の用途に適用する場合には、その用途におけるプログラムと一体化してもよい
【符号の説明】
【００６０】
１１…鏡像変換部、１２…濃度境界検出部、１３…原稿端検出部、２１，２２…読取部、２３…画像処理部、２４…画像作成部、２５…形成部、３１…プログラム、３２…コンピュータ、４１…光磁気ディスク、４２…光ディスク、４３…磁気ディスク、４４…メモリ、５１…ＣＰＵ、５２…内部メモリ、５３…読取部、５４…ハードディスク、５５…インタフェース、５６…通信部。
【図１】
0005527523.tif 000002
【図２】
0005527523.tif 000003
【図３】
0005527523.tif 000004
【図４】
0005527523.tif 000005
【図５】
0005527523.tif 000006
【図６】
0005527523.tif 000007
【図７】
0005527523.tif 000008
【図８】
0005527523.tif 000009